(57)【要約】【課題】梯子を用いる作業において、梯子の移動を容易にして作業性を向上させることができるようにする。【解決手段】足場装置１を、人力で移動させることができる足場本体２と、この足場本体２の一側面に取付けられた例えば２本の梯子３，４とで構成する。各梯子３，４を伸縮可能な構造とする。また、各梯子３，４は、足場本体２に対し内外方向に揺動させることができる構造とする。高所作業は、各梯子３，４を用いて行なう。作業位置を変更する際には、各梯子３，４を足場本体２側に揺動させ、足場本体２を移動させることにより行なう。足場本体２には、作業員が各梯子３，４から足場本体２に乗り移るのに便利なように、上部作業足場５と下部作業足場６とを設ける。【選択図】図１
2006104930.tif 000002
【特許請求の範囲】
【請求項１】
上下方向に間隔を置いて任意数の作業足場が設けられ、かつ下端部に固定手段を有する車輪が設けられている方形櫓状の足場本体と；足場本体の少なくとも一側面に、下端近傍位置が着脱可能でかつ内外方向に揺動可能に取付けられた任意数の梯子と；を備え、前記梯子は、伸縮可能な構造となっていることを特徴とする作業用足場装置。
【請求項２】
足場本体は、足場本体側に揺動させた梯子を両側から支持する横揺れ防止体を有していることを特徴とする請求項１記載の作業用足場装置。
【請求項３】
足場本体は、四隅部のうちの少なくともいずれか一箇所に、足場本体の内外方向に揺動可能でかつ接地可能な転倒防止部材を有していることを特徴とする請求項１または２記載の作業用足場装置。
【請求項４】
梯子は１本設けられ、かつその先端には、壁等の立て掛け面上を転動する転動体、または立て掛け面上を摺動する摺動体が設けられていることを特徴とする請求項１，２または３記載の作業用足場装置。
【請求項５】
梯子は複数本設けられ、かつそのうちの少なくとも１本の梯子の先端には、壁等の立て掛け面上を転動する転動体、または立て掛け面上を摺動する摺動体が設けられていることを特徴とする請求項１，２または３記載の作業用足場装置。
【請求項６】
梯子は、その先端近傍位置に、壁等の立て掛け面に立て掛けた際に立て掛け面に固定される梯子転倒防止体を有していることを特徴とする請求項１，２，３，４または５記載の作業用足場装置。
【請求項７】
梯子は、その下端部に、壁等の立て掛けた際に、スライドさせて接地可能な梯子安定部材を有していることを特徴とする請求項１，２，３，４，５または６記載の作業用足場装置。
【発明の詳細な説明】
【技術分野】
【０００１】
本発明は、例えば船艙内壁の高所部位の補修を行なう際等に用いられる作業用足場装置に係り、特に梯子の移動を容易にして作業性を向上させることができる作業用足場装置に関する。
【背景技術】
【０００２】
従来、例えば建物の壁面等の作業を行なう場合には、建物の壁面に沿って固定式の足場を組み、この足場を用いて作業を行なうのが通例であるが、固定式の足場を組む程の大掛かりな作業でない場合には、下端部にキャスタを有する方形櫓状の足場本体を備えた作業用足場装置を用いて、作業を行なうのが通例である。
【特許文献１】実開平６−５６３１７号公報
【発明の開示】
【発明が解決しようとする課題】
【０００３】
ところで、前記従来の作業用足場装置は、移動が容易であるので、作業位置を壁面に沿って順次変えていく等の場合に好都合であるが、壁面の下端に障害物があるような場合には、足場本体を壁面に接近させることができず、例えば船艙の両側壁の補修等を行なうには不向きである。
【０００４】
すなわち、船艙の両側壁は、その下端部が内側にく字状に屈曲しているため、足場本体を、船艙の両側壁に接近させることができず、この場合には、梯子を用いて作業を行なわざるを得ない。
【０００５】
ところが、梯子の場合には、作業範囲が狭いため、その立て掛け位置を頻繁に移動させて作業を行なう必要があり、その作業が容易でないとともに、設置安定性にも問題がある。
【０００６】
本発明は、かかる現況に鑑みなされたもので、梯子の移動が容易で作業性を向上させることができ、しかも梯子の設置安全性を向上させて作業員の安全を確保することができる作業用足場装置を提供することを目的とする。
【０００７】
本発明の他の目的は、梯子を足場本体側に揺動させて作業位置を変える際に、梯子の横揺れを防止して安全性を向上させることができる作業用足場装置を提供することにある。
【０００８】
本発明の他の目的は、足場本体の設置安定性を向上させることができる作業用足場装置を提供することにある。
【０００９】
本発明の他の目的は、作業性をより向上させることができる作業用足場装置を提供することにある。
【００１０】
本発明の他の目的は、作業範囲の拡大を図ることができる作業用足場装置を提供することにある。
【００１１】
本発明の他の目的は、梯子上での作業の安全性を向上させることができる作業用足場装置を提供することにある。
【００１２】
本発明のさらに他の目的は、梯子にかかる負荷を設置面で直接受けることができるようにして、梯子の立て掛け状態の安定を図ることができる作業用足場装置を提供することにある。
【課題を解決するための手段】
【００１３】
前記目的を達成するため本発明は、上下方向に間隔を置いて任意数の作業足場が設けられ、かつ下端部に固定手段を有する車輪が設けられている方形櫓状の足場本体と；足場本体の少なくとも一側面に、下端近傍位置が着脱可能でかつ内外方向に揺動可能に取付けられた任意数の梯子と；を設け、前記梯子を、伸縮可能な構造としたことを特徴とする。
【００１４】
本発明はまた、足場本体に、足場本体側に揺動させた梯子を両側から支持する横揺れ防止体を設けるようにしたことを特徴とする。
【００１５】
本発明はまた、足場本体の四隅部のうちの少なくともいずれか一箇所に、足場本体の内外方向に揺動可能でかつ接地可能な転倒防止部材を設けるようにしたことを特徴とする。  
【００１６】
本発明はまた、梯子を１本設け、かつその先端には、壁等の立て掛け面上を転動する転動体、または立て掛け面上を摺動する摺動体を設けるようにしたことを特徴とする。
【００１７】
本発明はまた、梯子を複数本設け、かつそのうちの少なくとも１本の梯子の先端には、壁等の立て掛け面上を転動する転動体、または立て掛け面上を摺動する摺動体を設けるようにしたことを特徴とする。
【００１８】
本発明はまた、梯子の先端近傍位置に、壁等の立て掛け面に立て掛けた際に立て掛け面に固定される梯子転倒防止体を設けるようにしたことを特徴とする。
【００１９】
本発明はさらに、梯子の下端部に、壁等の立て掛け面に立て掛けた際に、スライドさせて接地可能な梯子安定部材を設けるようにしたことを特徴とする。
【発明の効果】
【００２０】
本発明は、上下方向に間隔を置いて任意数の作業足場が設けられ、かつ下端部に固定手段を有する車輪が設けられている方形櫓状の足場本体と；足場本体の少なくとも一側面に、下端近傍位置が着脱可能でかつ内外方向に揺動可能に取付けられた任意数の梯子と；を設け、前記梯子を、伸縮可能な構造としているので、梯子を伸縮させるだけで、作業位置を上下に容易に変更することができる。また、梯子の立て掛け位置を移動させる際には、梯子を足場本体側に揺動させて梯子の先端部を立て掛け面から離し、この状態で足場本体を移動させるようにすればよいので、梯子自体を人力で移動させるよりも作業が容易となり、作業性を向上させることができる。またこの際、梯子に乗って作業していた作業員は、足場本体に乗り移っていればよいので、地上まで降りてくる場合に比較して作業員の負担が少なく、作業性を向上させることができる。また、梯子の設置安定性も、大幅に向上させることができる。
【００２１】
本発明はまた、足場本体に、足場本体側に揺動させた梯子を両側から支持する横揺れ防止体を設けるようにしているので、梯子を足場本体側に揺動させて作業位置を変える際に、梯子の横揺れを防止して安全性を向上させることができる。
【００２２】
本発明はまた、足場本体の四隅部のうちの少なくともいずれか一箇所に、足場本体の内外方向に揺動可能でかつ接地可能な転倒防止部材を設けるようにしているので、足場本体の支持範囲が拡大され、足場本体の設置安定性を向上させることができる。
【００２３】
本発明はまた、梯子を１本設け、かつその先端には、壁等の立て掛け面上を転動する転動体、または立て掛け面上を摺動する摺動体を設けるようにしているので、梯子の先端を、立て掛け面に接触させたままの状態で足場本体を移動させることができ、作業性をより向上させることができる。
【００２４】
本発明はまた、梯子を複数本設け、かつそのうちの少なくとも１本の梯子の先端には、壁等の立て掛け面上を転動する転動体、または立て掛け面上を摺動する摺動体を設けるようにしているので、梯子の先端を、立て掛け面に接触させたままの状態で足場本体を移動させることができ、作業性をより向上させることができるとともに、梯子を複数本設けることで、作業範囲を拡大することができる。
【００２５】
本発明はまた、梯子の先端近傍位置に、壁等の立て掛け面に立て掛けた際に立て掛け面に固定される梯子転倒防止体を設けるようにしているので、梯子上での作業の安全性を向上させることができる。
【００２６】
本発明はさらに、梯子の下端部に、壁等の立て掛け面に立て掛けた際に、スライドさせて接地可能な梯子安定部材を設けるようにしているので、梯子にかかる負荷を、接地面で直接受けることができ、梯子の立て掛け状態の安定を図ることができる。
【発明を実施するための最良の形態】
【００２７】
以下、本発明を図面を参照して説明する。
図１は本発明の第１の実施の形態に係る作業用足場装置を示すもので、この足場装置１は、方形の櫓状をなす足場本体２と、この足場本体２の一側面に着脱可能でかつ内外方向に揺動可能に取付けられた２本の梯子３，４とで構成されている。
【００２８】
前記足場本体２は、図１に示すように、パイプ材を方形の櫓状に組合わせて構成されており、この足場本体２には、上下方向に間隔を置いて、上部作業足場５および下部作業足場６が設けられ、また足場本体２の梯子３，４が取付けられている面およびこれに対向する面には、作業員が各作業足場５，６に乗り込むための梯子段部７が形成されている。
【００２９】
また、前記足場本体２の四隅下端部には、図１に示すように、ジャッキ付き車輪８が合計４個取付けられており、これにより、足場本体２を人力で容易に移動させることができるようになっているとともに、各ジャッキ付き車輪８の高さを調節することにより、足場本体２の停止位置に凹凸があっても、足場本体２を安定に停止させることができるようになっている。
【００３０】
すなわち、前記各ジャッキ付き車輪８は、図２に示すように、足場本体２を構成する脚パイプ９に螺装されたジャッキ軸１０と、ジャッキ軸１０の脚パイプ９への螺入位置を固定するジャッキ用レバーナット１１とを備えており、前記ジャッキ軸１０の下端部には、回転盤１２および車輪フレーム１３を介して車輪１４が垂直軸廻りに回転自在に取付けられ、また前記車輪フレーム１３には、車輪１４用のストッパ１５およびストッパ操作レバー１６が取付けられていて車輪１４の転動を固定できるようになっている。
【００３１】
一方、前記各梯子３，４は、図３に示すように、下端に滑り止めユニット１７を有する下側梯子１８と、この下側梯子１８にスライド伸縮可能に取付けられた上側梯子１９とから、二段伸縮構造をなしており、前記下側梯子１８の上端側面には、滑車２０および伸縮用ロープ２１が設けられ、また前記上側梯子１９の下端近傍位置には、下側梯子１８の各ステップ１８ａに係合して伸縮位置を固定するためのロック金具２２が設けられている。
【００３２】
なお、前記各梯子３，４の伸縮機構は、アルミ製等の市販の伸縮梯子と同一であるので、その詳細な構造説明および動作説明は省略する。
【００３３】
以上の構成を有する各梯子３，４は、図４に示すように、前記下側梯子１８のステップ１８ａと前記足場本体２の構成パイプ２３とを、三連のラダークランプ装置２４を介し着脱可能に連結することにより、足場本体２に対し内外方向に揺動可能となっている。なおこの際、前記下側梯子１８の滑り止めユニット１７は、各梯子３，４を足場本体２に取付けた状態では接地せず、各梯子３，４を足場本体２から取外した際に初めて接地して、滑り止めとして機能するようになっている。
【００３４】
前記ラダークランプ装置２４は、図４ないし図６に示すように、開閉式蝶番２５と、この開閉式蝶番２５に対向して設けられた各三連の足場側クランプ２６および梯子側クランプ２７とで構成されており、前記各足場側クランプ２６は、図４に示すように、足場本体２の構成パイプ２３に装着されるとともに、前記各梯子側クランプ２７は、下側梯子１８のステップ１８ａに装着されるようになっている。そして、前記各梯子３，４は、このラダークランプ装置２４位置を支点として、足場本体２に対し内外方向に揺動するようになっている。
【００３５】
以上の構成を有する各梯子３，４のうちの少なくともいずれか一方の梯子３，４の上端部（図１の場合には梯子３）には、梯子３を立て掛け面に立て掛けたままの状態で足場本体２を移動させることができるようにするための転動装置２８が設けられている。
【００３６】
すなわち、この転動装置２８は、図７および図８に示すように、ジャッキ軸２９と、このジャッキ軸２９の一端部に回転盤３０および車輪フレーム３１を介して取付けられた車輪３２とを備えており、前記車輪フレーム３１には、車輪３２用のストッパ３３およびストッパ操作レバー３４が取付けられているとともに、前記ジャッキ軸２９には、ジャッキ用ナット３５を介してステップ固定用クランプ３６が取付けられている。そして、このステップ固定用クランプ３６は、図７に示すように、上側梯子１９のステップ１９ａに装着されるようになっている。
【００３７】
この転動装置２８は、足場本体２のジャッキ付き車輪８と同一構成となっており、ジャッキ付き車輪８として市販されている製品を転用してコストダウンを図ることができるようになっている。
【００３８】
なお、図１において、符号３７は、各梯子３，４を足場本体２側に揺動させるための梯子引上げ用ロープであり、この梯子引上げ用ロープ３７を引張ってその端部を足場本体２に固縛することにより、足場本体２を移動させる際に、各梯子３，４が不用意に外側に倒れるのを防止できるようになっている。
【００３９】
次に、本実施の形態の作用について説明する。
作業に際しては、まず足場本体２を作業位置近傍まで移動させるとともに、各ジャッキ付き車輪８のストッパ操作レバー１６を操作して車輪１４をロックする。
【００４０】
次いで、伸縮用ロープ２１を操作して、各梯子３，４の長さを調節した後、梯子引上げ用ロープ３７を緩めて、各梯子３，４を立て掛け面に立て掛ける。そして、立て掛け面での作業を行なう。
【００４１】
各梯子３，４の伸縮調節だけでは、必要な作業ができなくなったならば、足場本体２を移動させて、作業位置を変更する。この際、通常各梯子３，４は、足場本体２側に揺動させ垂直に立てた状態にして、足場本体２を移動させることになるが、転動装置２８を有する梯子３の場合には、梯子３を立て掛け面に立て掛けたままの状態で足場本体２を移動させる。これにより、梯子３を揺動させる作業が不要となり、作業能率を向上させることができる。
【００４２】
しかして、足場本体２と梯子３，４とを組合わせて足場装置１を構成しているので、足場本体２で可能な範囲の作業は、足場本体２を用いて作業を行ない、足場本体２では不可能な範囲の作業は、梯子３，４を用いて作業を行なうことができる。このため、作業範囲を大幅に拡げることができる。
【００４３】
また、梯子３，４のみを用いる場合には、その移動に多くの時間を必要とするが、足場本体２と組合わせることで、移動が極めて容易となり、作業能率を大幅に向上させることができる。このため、作業位置を頻繁に移動させる必要がある船艙内の作業に用いた場合に特に有効である。
【００４４】
図９は、本発明の第２の実施の形態に係る作業用足場装置を示すもので、前記第１の実施の形態における足場装置１に代え、足場装置４１を用いるようにしたものである。
【００４５】
すなわち、前記足場装置４１は、図９に示すように、方形の櫓状をなす足場本体４２と、この足場本体４２の一側面に着脱可能でかつ内外方向に揺動可能に取付られた２本の梯子４３，４４とで構成されている。
【００４６】
前記足場本体４２は、図９に示すように、パイプ材を方形の櫓状に組合わせて構成されており、この足場本体４２には、上下方向に間隔を置いて、上部作業足場４５，中間作業足場４６および下部作業足場４７が設けられ、また足場本体４２の梯子４３，４４が取付けられている面に対向する面には、作業員が各作業足場４５，４６，４７に乗り込むための梯子段部４８が形成されている。
【００４７】
また、前記足場本体４２の四隅下端部には、図９に示すように、ジャッキ付き車輪４９が合計４個取付けられており、これにより、足場本体４２を人力で容易に移動させることができるようになっているとともに、各ジャッキ付き車輪４９の高さを調節することにより、足場本体４２の停止位置に凹凸があっても、足場本体４２を安定に停止させることができるようになっている。
【００４８】
なお、このジャッキ付き車輪４９は、前記第１の実施の形態におけるジャッキ付き車輪８（図２参照）と同一構成であるので、その詳細な構造説明および作用の説明は省略する。
【００４９】
前記足場本体４２にはまた、図９に示すように、前記梯子４３，４４が取付けられている面の上端近傍位置に、足場本体４２側に揺動させた梯子４３，４４を両側から支持する例えば板状の横揺れ防止体５０が設けられており、これら各横揺れ防止体５０で各梯子４３，４４を両側から支持することにより、作業位置を変える際等の梯子４３，４４の横揺れを防止して、安全性を向上させることができるようになっている。
【００５０】
また、前記足場本体４２の四隅下部には、図９に示すように、足場本体４２の内外方向に揺動可能でかつ設置可能な転倒防止部材５１が合計４個設けられ、梯子４３，４４を用いた作業の際の足場本体４２の設置安定性を、向上させることができるようになっている。
【００５１】
すなわち、前記各転倒防止部材５１は、図１０に示すように、足場本体４２を構成する脚パイプ５２にヒンジ５３を介し内外方向に揺動可能に取付けられた本体５４を備えており、この本体５４の下端部には、下端に接地板５５を有するジャッキ軸５６が螺装され、このジャッキ軸５６は、操作レバー５７の操作により、螺進調節できるようになっている。そして、この螺進調節により、通常非接地の接地板５５を接地させることができるようになっている。
【００５２】
一方、前記各梯子４３，４４は、図９に示すように、前記第１の実施の形態における各梯子３，４と同様、下側梯子５８とこの下側梯子５８にスライド可能に取付けられた上側梯子５９とから、二段伸縮構造をなしており、前記上側梯子５９の上端部には、図１１に示すように、梯子転倒防止体６０が設けられ、壁等の立て掛け面に立て掛けられた上側梯子５９を、立て掛け面に固定できるようになっている。
【００５３】
すなわち、前記梯子転倒防止体６０は、図１１に示すように、壁等の立て掛け面に磁着される電磁石あるいは立て掛け面に吸着される吸盤で構成される固定部材６１と、この固定部材６１と上側梯子５９とを連結する連結紐体６２とで構成されており、上側梯子５９を立て掛け面に立て掛けた後、固定部材６１を立て掛け面に固定することにより、梯子４３，４４の転倒を防止できるようになっている。
【００５４】
前記下側梯子５８の下端部には、図１２に示すように、梯子４３，４４を立て掛け面に立て掛けた際にスライドさせて接地可能な梯子安定部材６３が設けられている。
【００５５】
前記梯子安定部材６３は、図１２に示すように、下側梯子５８の外側面にそってスライド可能な２本の接地支柱材６４を備えており、各接地支柱材６４には、狭い間隔で多数のボルト挿通孔６５が設けられているとともに、下端部には、接地安定性を向上させるための滑り止めユニット６６が設けられている。そして、両接地支柱材６４は、下側梯子５８のステップ内に挿通したボルト６７を、任意のボルト挿通孔６５に挿通してナット６８で固定することにより、各梯子４３，４４にかかる負荷を、直接接地面で支持するようになっている。
なお、その他の点については、前記第１の実施の形態と同一構成となっており、作用も同一である。
【００５６】
しかして、足場本体４２に３段の作業足場４５，４６，４７を設けて、足場本体４２の大重量化を図っているので、相対的に梯子４３，４４側の重量が軽くなって、設置安定性を向上させることができる。
【００５７】
また、この足場本体４２には、その四隅部に転倒防止部材５１が設けられているので、足場本体４２が倒れる可能性が高い方向の転倒防止部材５１を揺動させて、支持面積の拡大を図るようにすれば、足場本体４２の転倒を、より有効に防止することができる。
【００５８】
前記足場本体４２にはまた、梯子４３，４４を支持する横揺れ防止体５０が設けられているので、図９に示す状態で足場本体４２を移動させる際に、梯子４３，４４の横揺れを防止することができる。
【００５９】
一方、各梯子４３，４４には、図１１に示すように、梯子転倒防止体６０が設けられているので、作業員が梯子４３，４４から身を乗り出して作業した場合等であっても、梯子４３，４４の上端部が立て掛け面に固定されているので、梯子４３，４４が転倒することがなく、作業員の安全を充分に確保することができる。
【００６０】
さらに、各梯子４３，４４の下端部には、図１２に示すように、梯子安定部材６３が設けられているので、各梯子４３，４４にかかる負荷を直接接地面で支持することができ、各梯子４３，４４を立て掛け面に立て掛けた状態における設置安定性を向上させることができる。
【００６１】
なお、前記両実施の形態においては、足場本体２，４２の一側面に、２本の梯子３，４，４３，４４を取付ける場合について説明したが、足場本体２，４２の一側面に、１本の梯子のみを設けるようにしてもよいとともに、足場本体２，４２の複数の側面に、複数本の梯子を配するようにしてもよい。また、各梯子３，４，４３，４４の伸縮段数も、二段に限らず三段以上でもよいことは云うまでもない。また、足場本体２，４２の作業足場５，６，４５，４６，４７の数も、一段から六段程度まで、自由に変更することができる。さらに、転動装置２８に代え、例えばスキー板状の摺動体を用い、立て掛け面を滑らせて梯子３等を移動させることができるようにしてもよい。
【産業上の利用可能性】
【００６２】
以上のように、本発明に係る作業用足場装置は、梯子を用いる作業用の足場装置として有用であり、特に梯子の移動を頻繁に行なう必要がある船艙内壁の作業用として用いるのに適している。
【図面の簡単な説明】
【００６３】
【図１】本発明の第１の実施の形態に係る作業用足場装置を示す全体構成図である。
【図２】足場本体下端四角部のジャッキ付き車輪の構成を示す説明図である。
【図３】足場本体に取付けられた梯子の構成を示す説明図である。
【図４】梯子と足場本体との取付け部分の構成を示す説明図である。
【図５】ラダークランプ装置の各クランプを開いた状態で示す説明図である。
【図６】ラダークランプ装置の各クランプを閉じた状態を示す説明図である。
【図７】梯子先端の転動装置を示す説明図である。
【図８】転動装置の詳細を示す説明図である。
【図９】本発明の第２の実施の形態を示す図１相当図である。
【図１０】図９の転倒防止部材の詳細を示す説明図である。
【図１１】梯子転倒防止体の詳細を示す説明図である。
【図１２】梯子安定部材の詳細を示す説明図である。
【符号の説明】
【００６４】
１，４１  足場装置
２，４２  足場本体
３，４，４３，４４  梯子
５，４５  上部作業足場
６，４７  下部作業足場
８，４９  ジャッキ付き車輪
１４，３２  車輪
１５，３３  ストッパ
１６，３４  ストッパ操作レバー
１７，６６  滑り止めユニット
１８，５８  下側梯子
１８ａ，１９ｂ  ステップ
１９，５９  上側梯子
２１  伸縮用ロープ
２４  ラダークランプ装置
２５  開閉式蝶番
２６  足場側クランプ
２７  梯子側クランプ
２８  転動装置
３６  ステップ固定用クランプ
３７  梯子引上げ用ロープ
４６  中間作業足場
５０  横揺れ防止体
５１  転倒防止部材
５３  ヒンジ
５４  本体
５５  接地板
５６  ジャッキ軸
５７  操作レバー
６０  梯子転倒防止体
６１  固定部材
６２  連結紐体
６３  梯子安定部材
６４  接地支柱材
６５  ボルト挿通孔
６７  ボルト
６８  ナット
【図１】
2006104930.tif 000003
【図２】
2006104930.tif 000004
【図３】
2006104930.tif 000005
【図４】
2006104930.tif 000006
【図５】
2006104930.tif 000007
【図６】
2006104930.tif 000008
【図７】
2006104930.tif 000009
【図８】
2006104930.tif 000010
【図９】
2006104930.tif 000011
【図１０】
2006104930.tif 000012
【図１１】
2006104930.tif 000013
【図１２】
2006104930.tif 000014